(57)【要約】【課題】誘導樋及び縦樋がテラス屋根の外観体裁を損なず、柱を隣地境界に接して立設することを可能にする。【解決手段】屋根本体３に雨樋３１ａを、柱１間にパネル４を備えたテラス屋根Ｒにおいて、柱上端部間に架設した桁２とパネル４との間の隙間を塞ぐ塞ぎ材９を設け、その塞ぎ材に挿通孔９３を形成し、屋根本体の雨樋３１ａからの雨水を縦樋１１に誘導する誘導樋１０を塞ぎ材９の挿通孔９３に挿通し、縦樋１１を柱１の柱同士対向面に添設した。【選択図】  図１
2008057215.tif 000002
【特許請求の範囲】
【請求項１】
屋根本体に雨樋を、柱間にパネルを備えたテラス屋根において、
前記柱上端部間に架設した桁と前記パネルとの間の隙間を塞ぐ塞ぎ材を設けるとともに、その塞ぎ材に挿通孔を形成し、
前記屋根本体の雨樋からの雨水を誘導する誘導樋を前記塞ぎ材の挿通孔に挿通し、その誘導樋を前記挿通孔に近い前記柱の柱同士対向面に添設された縦樋に接続したことを特徴とするテラス屋根。
【請求項２】
誘導樋は、屋根本体の雨樋に接続されるドレンと、そのドレンに接続された横樋及び又はエルボとからなり、前記横樋又は前記エルボが塞ぎ材の挿通孔に挿通されていることを特徴とする請求項１に記載のテラス屋根。
【請求項３】
塞ぎ材の挿通孔に、リング状の弾性ガスケットが嵌着され、そのガスケットに横樋又はエルボが挿通されていることを特徴とする請求項１又は２に記載のテラス屋根。
【発明の詳細な説明】
【技術分野】
【０００１】
本発明は、屋根本体に雨樋を、柱間にパネルを備えたテラス屋根に関する。
【背景技術】
【０００２】
一般的に、テラス屋根は、地面に立設された複数の柱の上端部に屋根本体を片持ち状に支持し、その屋根本体の先端を建物に固定して取り付けられる。そして、屋根本体は建物側から柱側に下り傾斜して設置されるので、屋根本体の下端部に存在する枠には、屋根本体の雨樋が設けられ、その雨樋は誘導樋を介して柱に添設されている縦樋に結合されていて、屋根本体の雨樋から排出される雨水は、誘導樋と縦樋を通って地上に排水されるようになっている。
【０００３】
テラス屋根には、目隠しや防犯のために、柱間にその上部と下部を残してパネルを取り付けることが好まれる。
【０００４】
ところが、このような屋根本体に雨樋を有し、柱間にパネルを備えたテラス屋根においては、これに吹き付ける風はとくに屋根本体の下端部とパネルの間の隙間を通り抜け易い。そのため、強風降雨時には屋根本体の下端から飛沫がパネルとの間の隙間を通ってテラス屋根内側に吹き込んだり、強風降雪時には屋根本体の下端から吹雪がパネルとの間の隙間を通ってテラス屋根内側に吹き込んだりすることがある。
【０００５】
このような隙間からの飛沫の吹き込み防止、吹雪の吹き込み防止、あるいは近隣に対する目隠しなどの目的で、前記隙間にこれを塞ぐ塞ぎ材が取り付けられる場合がある。
【０００６】
一方、塞ぎ材は、パネルと同様に、テラスの有効面積を狭くしないように、柱の外面（建物と反対側の面）又は柱の対向面の中の柱の外面にできるだけ近い位置に取り付けられる。従って、従来のテラス屋根においては、屋根本体の雨樋に接続される誘導樋が、パネル及び塞ぎ材の外側（建物と反対側）に設けられ、縦樋も柱の外面に添設されていた。
【特許文献１】特になし。
【発明の開示】
【発明が解決しようとする課題】
【０００７】
上記のように、屋根本体に雨樋を有し、屋根本体とパネルの間に塞ぎ材を取り付けた従来のテラス屋根は、誘導樋及び縦樋が塞ぎ材及びパネルの外側に配置されていたので、これらによりテラス屋根の外観体裁が損なわれるという問題があった。また、誘導樋及び縦樋が塞ぎ材及びパネルの外面に配置されることにより、これらの柱外面からの突出量が大きいため、柱を隣地との境界に接して立設することができないという問題もあった。
【０００８】
本発明は、上記の点に鑑みてなされたものであり、解決しようとする課題は、屋根本体に雨樋を有し、屋根本体とパネルの間に塞ぎ材を取り付けたテラス屋根において、誘導樋及び縦樋がテラス屋根の外観体裁を損なずに設けられるようにすること、及び、柱を隣地境界に接して立設することができるようにすることにある。
【課題を解決するための手段】
【０００９】
上記課題を解決するため、本発明は、屋根本体に雨樋を、柱間にパネルを備えたテラス屋根において、前記柱上端部間に架設した桁と前記パネルとの間の隙間を塞ぐ塞ぎ材を設けるとともに、その塞ぎ材に挿通孔を形成し、前記屋根本体の雨樋からの雨水を誘導する誘導樋を前記塞ぎ材の挿通孔に挿通し、その誘導樋を前記挿通孔に近い前記柱の柱同士対向面に添設された縦樋に接続したことを特徴としている（請求項１）。
【００１０】
また、誘導樋は、屋根本体の雨樋に接続されるドレンと、そのドレンに接続された横樋及び又はエルボとからなり、その横樋又はエルボが塞ぎ材の挿通孔に挿通されていることを特徴としている（請求項２）。
【００１１】
塞ぎ材の挿通孔には、リング状の弾性ガスケットが嵌着され、そのガスケットに横樋又は前記エルボが挿通されることが望ましい（請求項３）。
【発明の効果】
【００１２】
請求項１の発明によれば、柱上端部間に架設した桁とパネルとの間の隙間を塞ぐ塞ぎ材を設けるとともに、その塞ぎ材に挿通孔を形成し、屋根本体の雨樋からの雨水を誘導する誘導樋を前記塞ぎ材の挿通孔に挿通し、その誘導樋を前記挿通孔に近い前記柱の柱同士対向面に添設された縦樋に接続したので、塞ぎ材とパネルにより屋根本体の下端部からの飛沫や吹雪がテラス内側に吹き付けるのを防止できるとともに、誘導樋及び縦樋がテラス屋根の正面側に露見しないため、テラス屋根の正面側外観が向上し、また、誘導樋及び縦樋が柱の外側に突出しないので、柱を隣地境界に近接して立設することができる。
【００１３】
請求項２の発明によれば、誘導樋が屋根本体の雨樋に接続されるドレンと、そのドレンに接続された横樋及び又はエルボとからなる場合に、横樋又はエルボが塞ぎ材の挿通孔に挿通されるので、塞ぎ材及びパネルの外側に露見されるのはドレンのみであるため、テラス屋根の正面側外観が簡素美麗である。
【００１４】
請求項３の発明によれば、塞ぎ材の挿通孔にリング状の弾性ガスケットが嵌着され、そのガスケットに横樋又はエルボが挿通されるので、挿通孔と横樋又はエルボの間の隙間が塞がれ、隙間からの雨水の浸入、塞ぎ材と横樋又はエルボとの間の振動騒音の発生などが防止される。
【発明を実施するための最良の形態】
【００１５】
次に、本発明の実施の形態について図面に基づいて説明する。
図１はテラス屋根の側面図、図２は同じく正面図、図３は同じく背面図、図３は図２の排水装置の部分の拡大図、図４は図３のＸ−Ｘ線断面図、図５は図４のＹＹ−Ｙ’Ｙ’間の拡大図である。
【００１６】
図１において、Ｈは建物、Ｔはテラス、Ｒはテラス屋根である。テラス屋根Ｒは、テラスＴに立設された複数本（図示の例では３本）の柱１の上端部に桁２を介して屋根本体３が接続され、その屋根本体の上端部は建物Ｈに固定されている。柱１の正面（建物と反対側の面）には、柱１の上端部から下方に適宜離れた位置にパネル４が取り付けられている。図５，６に示されたものについて、パネル４の取付構造の一例を説明すると、各柱１の対向面に上下二つのＬ形のブラケット５がパネルの高さ寸法に対応する間隔をもって固着され、そのブラケットによりパネル４の上下に装着された横枠６が、その横枠に形成されたあり溝を用いてボルトナットｂｎ１により取り付けられている。必要により、各パネルの間及び幅方向両端部に縦桟７が設けられている。
【００１７】
柱１の上端部には、連結具８が一例として次のように取り付けられている。連結具８は、柱の上端部からその柱の中空部に挿入される挿入部８１と、その挿入部の上端部に設けられた平板状の固定部８２と、その固定部の上面から柱同士を結ぶ線と平行な中心軸を有する円筒面に沿って互いに反対方向に起立する断面円弧状の矩形曲面板８３，８４とを一体に有している。矩形曲面板８３，８４は、建物側の矩形曲面板８３は、他方の矩形曲面板８４よりも円弧の長さが長く、その円弧に沿った長軸を有する長孔８５が形成してある。そして、連結具８は、挿入部８１を柱の中空部に挿入し、固定部８２が柱の上端面に着座させられた状態で柱の側面からビスｂ１を挿入部８１にねじ込んで固定されている。
【００１８】
柱１の上端部に固定された連結具８の両矩形曲面板８３，８４の間には、桁２の断面形状が円弧状の嵌合部２１が嵌合され、その嵌合部に形成してあるあり溝２２に摺動自在に装着したボルトｂが矩形曲面板８３の長孔８５に挿通され、そのボルトの端部にナットｎを締め付けることにより、桁２がその上端面を柱の軸線に対して所定角度となる状態で柱１に固定されている。
【００１９】
そして、桁２とパネル４の上端部との間には、桁２とパネル４の上端部と左右の柱との間の隙間を柱の正面に沿った位置において塞ぐパネル状の塞ぎ材９が取り付けられている。塞ぎ材の上端部９１は連結具８の外側矩形曲面板８４の上端部付近に存在し、下端部９２は、パネル４の上側の横枠６を被覆するように装着され、ビスｂ２により柱１の正面及び好ましくは横枠６に固着されている。横枠６の上面を被覆する塞ぎ材９の部分９２は、排水性を高めるために斜め形成されている。
【００２０】
桁２の上端面には、屋根本体３の前枠３１が載置され、その前枠３１にブラケット３２を介して接続されている垂木３３がビスｂ３により固着されている。前枠３１は、その下端部に屋根本体の雨樋３１ａが一体に成形されていて、その雨樋の長手方向端面はキャップ３１ｂにより密閉されている。
【００２１】
屋根本体の雨樋３１ａの底部には、いずれかの柱（図２においては右側の柱１）に近い位置において排水口（図視せず）が設けてあり、その排水口に誘導樋１０の一端が結合され、誘導樋の他端は雨樋３１ａの排水口に近い柱（図２においては右側の柱）の柱同士の対向面に添設された縦樋１１の上端部に結合されている。
【００２２】
この誘導樋１０は、一端部に雨樋３１ａの底部にビスｂ４により垂設されたドレン１０１を有する。また、誘導樋１０のドレン１０１から縦樋１１までの間の部分は、ドレンから塞ぎ材９までの水平距離がそのドレン１０１に突設されている結合管１０１ａの長さよりも大きい場合は、ドレン１０１に結合される第１横樋１０２と、その第１横樋と結合される第１エルボ１０３と、そのエルボに結合される第２横樋１０４と、第２横樋を縦樋１１に結合するための第２エルボ１０５とから構成される。また、ドレン１０１から塞ぎ材９までの水平距離がそのドレンの結合管１０１ａの長さよりも小さい場合は、第１横樋１０２が不要になり、ドレンに結合される第１エルボ１０３とそのエルボに結合される第２横樋１０４と、第２横樋を縦樋１１に結合するための第２エルボ１０５とから構成される。
【００２３】
そして、本発明においては、屋根本体３の雨樋３１ａを縦樋１１に連結するための誘導樋１０をドレン１０１の背後において塞ぎ材９を貫通させるため、その塞ぎ材９に挿通孔９３が形成され、誘導樋１０をその挿通孔９３に挿通させてある。挿通孔と誘導樋との間の隙間塞ぎ、挿通孔の周縁の保護、誘導樋と塞ぎ材の接触・振動又は叩打による騒音発生の防止などのため、挿通孔９３の径を誘導樋１０の径よりも大きくして、その挿通孔にリング状の弾性ガスケット９４が嵌着されて、そのガスケット９４を誘導樋に貫通させてある。
【００２４】
前枠３１が塞ぎ材９から正面方向に離れている図５に示された例では、ドレンの結合管１０１ａに結合された第１横樋１０２が挿通孔９３に挿通されている。前枠３１が塞ぎ材９に近い場合は、ドレン１０１に突設されている結合管１０１ａが挿通孔９３に挿通される。縦樋１１は、塞ぎ材９及びパネル４の背面側において柱同士の対向面に沿って固定具１２により固定されている。
【００２５】
従って、前枠３１が塞ぎ材９から正面方向に離れている場合は、図３，４，５に示すように、第１横樋１０２、第１エルボ１０３、第２横樋１０４、第２エルボ１０５及び縦樋１１がいずれも塞ぎ材９及びパネル４の背面側に位置され、また、前枠３１が塞ぎ材９に近い場合は、第１エルボ１０３、第２横樋１０４、第２エルボ１５及び縦樋１１がいずれも塞ぎ材９及びパネル４の背面側に位置される。その結果、このテラス屋根を側面及び正面から見た場合は、それぞれ図１，２、４に示されるように、誘導樋１０が露見されないので、簡素美麗な外観が得られる。また、図１から判るように、柱１の正面側に縦樋１１が突出しないので、柱を隣地境界に設けられている塀に密着して立設することができる。従って、テラスの有効面積を大きくすることができる。
【図面の簡単な説明】
【００２６】
【図１】本発明に係るテラス屋根の側面図。
【図２】同じく正面図。
【図３】同じく背面図。
【図４】図２の排水装置の部分の拡大図。
【図５】図４のＸ−Ｘ線断面図。
【図６】図５のＹＹ−Ｙ’Ｙ’間の拡大図。
【符号の説明】
【００２７】
Ｒ      テラス屋根
１      柱
２      桁
３      屋根本体
３１    前枠
３１ａ  屋根本体の雨樋
４      パネル
９      塞ぎ材
９３    挿通孔
９４    ガスケット
１０    誘導樋
１０１  ドレン
１０２  第１横樋
１０３  第１エルボ
１０４  第２横樋
１０５  第２エルボ
１１    縦樋
【図１】
2008057215.tif 000003
【図２】
2008057215.tif 000004
【図３】
2008057215.tif 000005
【図４】
2008057215.tif 000006
【図５】
2008057215.tif 000007
【図６】
2008057215.tif 000008